(57)【特許請求の範囲】
【請求項１】
放送に対するユーザの受信記録として、少なくともユーザが視聴した番組の番組情報と、当該番組が既に提供された提供情報に含まれるユーザの趣味嗜好に対応する番組情報に基づいて視聴された番組であるか否かを示す推薦視聴情報とを含む視聴情報を受信する視聴情報受信手段と、
上記視聴情報に基づいて上記ユーザの放送視聴に関する趣味嗜好を解析し、当該趣味嗜好に対応する番組情報、宣伝情報及び広告情報を含む上記提供情報を生成する提供情報生成手段と、
上記提供情報を送信する提供情報送信手段と
を有する情報提供装置と、
上記放送を選局して受信する放送受信手段と、
上記提供情報を受信する提供情報受信手段と、
上記ユーザの操作に応じた番組を選局するか、上記提供情報に含まれる番組情報に基づいて上記ユーザの趣味嗜好に対応する番組を選局するように上記放送受信手段を制御する受信制御手段と、
上記放送受信手段により選局された上記ユーザの趣味嗜好に対応する番組、及び上記提供情報に含まれる宣伝情報及び広告情報を表示部に表示させる表示制御手段と、
上記視聴情報を生成する視聴情報生成手段と、
上記視聴情報を送信する視聴情報送信手段と
を有し、
上記表示制御手段が、上記ユーザに予め設定された個人設定情報の項目に応じて、上記ユーザの趣味嗜好に対応する番組の表示の可否と上記宣伝情報及び広告情報の表示の可否とを判断する放送通信装置と
を具える放送システム。
【請求項２】
所定の放送通信機器から供給される、放送に対するユーザの受信記録として、少なくともユーザが視聴した番組の番組情報と、当該番組が既に提供された提供情報に含まれるユーザの趣味嗜好に対応する番組情報に基づいて視聴された番組であるか否かを示す推薦視聴情報とを含む視聴情報を受信する視聴情報受信手段と、
上記視聴情報に基づいて上記ユーザの放送視聴に関する趣味嗜好を解析し、当該趣味嗜好に対応する番組情報、宣伝情報及び広告情報を含む提供情報を生成する提供情報生成手段と、
上記提供情報を上記放送通信機器に送信する提供情報送信手段と
を具える情報提供装置。
【請求項３】
上記提供情報生成手段は、上記視聴情報に基づいて上記放送の番組放送予定から上記ユーザの上記趣味嗜好に対応する番組情報を抽出して上記提供情報を生成する
請求項２に記載の情報提供装置。
【請求項４】
上記提供情報生成手段は、上記番組放送予定が更新された場合上記提供情報を更新する
請求項３に記載の情報提供装置。
【請求項５】
放送を選局して受信する放送受信手段と、
ユーザの放送視聴に関する趣味嗜好に対応する番組情報、宣伝情報及び広告情報を含む提供情報を受信する提供情報受信手段と、
上記ユーザの操作に応じた番組を選局するか、上記提供情報に含まれる番組情報に基づいて上記ユーザの趣味嗜好に対応する番組を選局するように上記放送受信手段を制御する受信制御手段と、
上記放送受信手段により選局された番組、及び上記提供情報に含まれる宣伝情報及び広告情報を表示部に表示させる表示制御手段と、
上記放送の受信記録として、少なくともユーザが視聴した番組の番組情報と、当該番組が既に提供された上記提供情報に含まれるユーザの趣味嗜好に対応する番組情報に基づいて視聴された番組であるか否かを示す推薦視聴情報とを含む視聴情報を生成する視聴情報生成手段と、
上記視聴情報を送信する視聴情報送信手段と
を具え、
上記表示制御手段は、
上記ユーザに予め設定された個人設定情報の項目に応じて、上記ユーザの趣味嗜好に対応する番組の表示の可否と上記宣伝情報及び広告情報の表示の可否とを判断する
放送通信装置。
【請求項６】
上記個人設定情報の項目には、上記放送のコマーシャル区間における上記宣伝情報及び広告情報の表示の可否が示され、
上記表示制御手段は、
上記個人設定情報の項目として示された上記放送のコマーシャル区間における上記宣伝情報及び広告情報の表示の可否に応じて、上記放送のコマーシャル区間における上記宣伝情報及び広告情報の表示の可否を判断する
請求項５に記載の放送通信装置。
【発明の詳細な説明】
【０００１】
【発明の属する技術分野】
本発明は放送システム、情報提供装置及び放送通信機器に関し、例えばテレビジョン放送やラジオ放送等に適用して好適なものである。
【０００２】
【従来の技術】
従来、テレビジョン装置やラジオ受信機等の放送用通信機器が広く用いられている。かかる放送用通信機器を用いて放送を受信する場合、ユーザは当該放送用通信機器を操作して所望のチャンネルを指定する。放送用通信機器はユーザの操作に応じて、指定されたチャンネルを選局して復調し、映像を画面に表示又は音声を再生する。
【０００３】
【発明が解決しようとする課題】
ところがかかる放送用通信機器においては、ユーザが積極的に選局操作を行わない限り、当該ユーザは情報（放送番組やコマーシャル等）を得ることができないという問題があった。
【０００４】
本発明は以上の点を考慮してなされたもので、ユーザの趣味嗜好に対応する情報を提供し得る放送システム、情報提供装置及び放送通信機器を提案しようとするものである。
【０００５】
かかる課題を解決するため本発明においては、放送に対するユーザの受信記録として、少なくともユーザが視聴した番組の番組情報と、当該番組が既に提供された提供情報に含まれるユーザの趣味嗜好に対応する番組情報に基づいて視聴された番組であるか否かを示す推薦視聴情報とを含む視聴情報を受信する視聴情報受信手段と、視聴情報に基づいてユーザの放送視聴に関する趣味嗜好を解析し、当該趣味嗜好に対応する番組情報、宣伝情報及び広告情報を含む提供情報を生成する提供情報生成手段と、提供情報を送信する提供情報送信手段とを有する情報提供装置と、放送を選局して受信する放送受信手段と、提供情報を受信する提供情報受信手段と、ユーザの操作に応じた番組を選局するか、提供情報に含まれる番組情報に基づいてユーザの趣味嗜好に対応する番組を選局するように放送受信手段を制御する受信制御手段と、放送受信手段により選局されたユーザの趣味嗜好に対応する番組、及び提供情報に含まれる宣伝情報及び広告情報を表示部に表示させる表示制御手段と、視聴情報を生成する視聴情報生成手段と、視聴情報を送信する視聴情報送信手段とを有し、表示制御手段が、ユーザに予め設定された個人設定情報の項目に応じて、ユーザの趣味嗜好に対応する番組の表示の可否と宣伝情報及び広告情報の表示の可否とを判断する放送通信装置とを設けた。
【０００６】
ユーザが視聴した番組の番組情報と、当該番組が既に提供した提供情報に含まれるユーザの趣味嗜好に対応する番組情報に基づいて視聴された番組であるか否かを示す推薦視聴情報とを含む視聴情報に基づいてユーザの趣味嗜好に対応する番組、宣伝情報及び広告情報を含む提供情報を生成し、当該提供情報とユーザに予め設定された個人設定情報の項目に基づいてユーザの趣味嗜好に対応する番組、宣伝情報及び広告情報を表示部に表示させるようにしたことにより、ユーザによる操作がなくとも当該ユーザの趣味嗜好に対応する番組、宣伝情報及び広告情報を提供することができる。
【０００７】
【発明の実施の形態】
以下図面について本発明の一実施の形態を詳述する。
【０００８】
（１）第１の実施の形態
図１において、１は全体として本発明の第１の実施の形態による放送システムを示し、テレビジョン放送を行う放送装置５、当該テレビジョン放送をアンテナ７０を介して受信し表示する複数のテレビジョン装置２０、及び各テレビジョン装置２０から送信される視聴情報ＩｎｆＷを解析して当該ユーザに対する推奨番組等の情報でなる提供情報ＩｎｆＤを生成し、電話回線６０を介して各テレビジョン装置２０に提供する情報提供装置１０で構成される。
【０００９】
放送装置５は、予め定められた放送予定に基づくテレビジョン番組を放送波Ｓ５として送信する。このとき放送装置５は、テレビジョン番組の番組表及び番組情報、スポンサー企業等による宣伝情報及び広告情報からなる一般情報ＩｎｆＢを、情報提供装置１０に供給する。
【００１０】
図２は全体として情報提供装置１０を示し、ＣＰＵ（Central Processing Unit ）１１、ＲＡＭ（Randam Access Memory）１２、ＲＯＭ（Read Only Memoly）１３、ハードディスク１４、モデム１５、及び外部通信部１９がバスＢＵＳに接続された構成を有している。
【００１１】
情報提供装置１０は、放送装置５（図１）から供給される一般情報ＩｎｆＢを外部通信部１９で受信してハードディスク１４内の一般情報格納部１４Ａに格納するとともに、テレビジョン装置２０（図１）から供給される視聴情報ＩｎｆＷをモデム１５の視聴情報受信部１５Ａで受信してハードディスク１４内の視聴情報格納部１４Ｂに格納する。図３は視聴情報ＩｎｆＷを示し、視聴したチャンネル番号を示すチャンネル欄、視聴開始日時欄、視聴終了日時欄、及び提供情報ＩｎｆＤに基づく視聴であるか否かを示す推薦視聴欄で構成されている。
【００１２】
図２において、ＣＰＵ１１はＲＯＭ１３に格納されている制御プログラムを読み出し、これをＲＡＭ１２に展開して実行することにより、様々なモードで動作する。そしてＣＰＵ１１は一般情報ＩｎｆＢ及び視聴情報ＩｎｆＷに基づいて提供情報ＩｎｆＤを生成し、モデム１５の提供情報送信部１５Ｂを介してテレビジョン装置２０に送信する。
【００１３】
すなわち図４に示すように、ＣＰＵ１１はまず統計情報解析部１７として動作し、視聴情報格納部１４Ｂに蓄積された視聴情報ＩｎｆＷを読み出してユーザの番組視聴における趣味嗜好を解析し、これをユーザ嗜好情報ＩｎｆＵとして一般情報格納部１４Ａに蓄積する。
【００１４】
次にＣＰＵ１１は提供情報生成部１６として動作し、視聴情報格納部１４Ｂから視聴情報ＩｎｆＷを読み出すとともに一般情報格納部１４Ａから一般情報ＩｎｆＰ及びユーザ嗜好情報ＩｎｆＵを読み出す。そして提供情報生成部１６は、視聴情報ＩｎｆＷ及びユーザ嗜好情報ＩｎｆＵに基づいて、一般情報ＩｎｆＢからユーザの趣味嗜好に対応する推薦番組表、推薦番組情報、宣伝及び広告情報を抽出し、これを提供情報ＩｎｆＤとして、モデム１５の提供情報送信部１５Ｂを介して放送通信機器としてのテレビジョン装置２０（図２）に送信する。かかる提供情報ＩｎｆＤの送信は、所定の送信タイミング及び一般情報ＩｎｆＢの更新があった場合に行われる。
【００１５】
ちなみに図４において、一般情報格納部１４Ａ、視聴情報格納部１４Ｂ、提供情報生成部１６及び統計情報解析部１７は、全体として、視聴情報ＩｎｆＷに基づいて提供情報ＩｎｆＤを作成する提供情報作成部１１として動作する。
【００１６】
図５は全体としてテレビジョン装置２０を示し、ＣＰＵ２３、ＲＡＭ２４、ＲＯＭ２５、フラッシュＲＯＭ２６、モデム２７、受信部３３及びユーザの操作を入力する操作入力部５４がバスＢＵＳに接続された構成を有している。
【００１７】
ＣＰＵ２３は、ＲＯＭ２５に格納されている制御プログラムを読み出し、ＲＡＭ２４に展開して実行することにより、様々なモードで動作する。
【００１８】
すなわち図６に示すように、ＣＰＵ２３はまず受信制御部４２として動作し、ユーザのチャンネル選択操作に応じて受信部３１を制御する。
【００１９】
受信部３１は受信制御部４２の制御に応じて、入力した放送波Ｓ５に対してチャンネルの選局及び復調を行うことにより映像信号Ｓ３０を生成し、これを表示部３２に出力して表示する。このとき受信部３１は、受信チャンネル、受信開始時刻及び受信終了時刻の各情報を受信情報ＩｎｆＲとして出力する。
【００２０】
続いてＣＰＵ２３は視聴情報解析部５１として動作し、受信情報ＩｎｆＲを解析して図３に示す視聴情報ＩｎｆＷを生成し、これを視聴情報格納部２６Ｃ及び個人設定情報格納部２６Ｂに格納する。
【００２１】
またテレビジョン装置２０は、ユーザが操作入力部５４を操作することにより入力された個人設定情報ＩｎｆＰを、個人設定情報格納部２６Ｂに格納する。図７は個人設定情報ＩｎｆＰを示し、広告情報及び宣伝情報の表示の可否、放送のコマーシャル区間における広告情報及び宣伝情報の表示の可否、推薦番組情報に基づく番組の表示の可否の各設定項目で構成される。ユーザは予め個人設定情報ＩｎｆＰの各設定項目を設定しておくことにより、テレビジョン装置２０を操作することなく、趣味嗜好に応じた番組や情報を得ることができる。
【００２２】
またテレビジョン装置２０は、情報提供装置１０（図１）から送信された提供情報ＩｎｆＤをモデム２７の提供情報受信部２７Ａで受信し、これをフラッシュＲＯＭ２６の提供情報格納部２６Ａに格納する。
【００２３】
そしてＣＰＵ２３は受信制御部４２として動作し、提供情報格納部２６Ａから提供情報ＩｎｆＤを読み出すとともに個人設定情報格納部２６Ｂから個人設定情報ＩｎｆＰ及び視聴情報ＩｎｆＷを読み出し、個人設定情報ＩｎｆＰに基づいて提供情報ＩｎｆＤが示す番組及び情報の表示の可否を判断し、これに応じて受信部３１を制御する。
【００２４】
かくしてテレビジョン装置２０は、提供情報ＩｎｆＤに応じて自動的に番組及び情報を表示する。ちなみに図６において、提供情報格納部２６Ａ及び受信制御部４２は、個人設定情報ＩｎｆＰに基づいて番組及び情報の表示を制御する提供情報処理部４０を構成し、個人設定情報格納部２６Ｂ、視聴情報格納部２６Ｃ、視聴情報解析部５１及び操作入力部５４は、受信情報ＩｎｆＲを解析して視聴情報ＩｎｆＷを生成する視聴情報作成部５０を構成し、受信部３１及び表示部３２は、テレビジョン装置２０の基本機能であるテレビジョン放送の受信及び表示を行う基本機能部３０を構成している。
【００２５】
以上の構成において、情報提供装置１０は、テレビジョン装置２０から送信された視聴情報ＩｎｆＷに基づいて当該テレビジョン装置２０のユーザの嗜好に応じた提供情報ＩｎｆＤを生成し、テレビジョン装置２０に送信する。
【００２６】
テレビジョン装置２０は、提供情報ＩｎｆＤに基づいて自動的に番組や情報を表示することにより、ユーザが操作することなく当該ユーザの趣味嗜好に対応した番組、広告及び宣伝等の情報を表示することができる。
【００２７】
以上の構成によれば、視聴情報ＩｎｆＷに基づいてテレビジョン装置２０のユーザの嗜好に応じた提供情報ＩｎｆＤを生成し、これを用いてテレビジョン装置２０を制御するようにしたことにより、ユーザの趣味嗜好に対応した番組、広告及び宣伝等の情報を自動的に表示することができる。
【００２８】
（２）第２の実施の形態
図８において、２は全体として本発明の第２の実施の形態による放送システムを示し、テレビジョン放送を行う放送装置５、当該テレビジョン放送をアンテナ７０を介して受信して映像信号をビデオテープ（図示せず）に録画及び再生するとともにテレビジョン装置７１に映像信号を出力する複数のビデオテープレコーダ（以下、これをＶＴＲと呼ぶ）２１、ＶＴＲ２１から出力される映像信号を表示するとともにテレビジョン放送をアンテナ７０を介して受信して表示するテレビジョン装置７１、ＶＴＲ２１のユーザの趣味嗜好を解析して当該ユーザに対する推奨番組等の情報でなる提供情報ＩｎｆＤを生成し電話回線６０を介して各ＶＴＲ２１に提供する情報提供装置１０で構成され、ＶＴＲ２１及びテレビジョン装置７１以外は、図１に示す放送システム１と同一である。この放送システム２においてテレビジョン放送を視聴する場合、ユーザは当該テレビジョン放送をテレビジョン装置７１で受信して視聴する方法と、当該テレビジョン放送をＶＴＲ２１で受信してその映像をテレビジョン装置７１に表示させる方法の２通りの方法を用いることができる。
【００２９】
放送装置５は、予め定められた放送予定に基づくテレビジョン番組を放送波Ｓ５として送信する。このとき放送装置５は、テレビジョン番組の番組表及び番組情報、スポンサー企業等による宣伝情報及び広告情報からなる一般情報ＩｎｆＢを、情報提供装置１０に供給する。
【００３０】
情報提供装置１０は視聴情報ＩｎｆＷに基づいて、一般情報ＩｎｆＢからユーザの趣味嗜好に対応する推薦番組表、推薦番組情報、宣伝及び広告情報を抽出し、これを提供情報ＩｎｆＤとして、モデム１５の提供情報送信部１５Ｂを介してＶＴＲ２１に送信する。かかる提供情報ＩｎｆＤの送信は、所定の送信タイミング及び一般情報ＩｎｆＢの更新があった場合に行われる。
【００３１】
図９は全体としてテレビジョン装置７１を示し、ＣＰＵ１２３、ＲＡＭ１２４、ＲＯＭ１２５、受信部１３３、ユーザの操作を入力する操作入力部１５４、及びＶＴＲ（図８）との間で情報の送受を行う外部通信部１２９が、バスＢＵＳに接続された構成を有している。
【００３２】
ＣＰＵ１２３は、ＲＯＭ１２５に格納されている制御プログラムを読み出し、ＲＡＭ１２４に展開して実行することにより様々なモードで動作する。
【００３３】
例えば、ユーザがＶＴＲ２１（図８）を用いてテレビジョン放送を受信する場合、図１０に示すように、テレビジョン装置７１のＣＰＵ１２３は受信制御部１４２として動作し、受信部１３３を制御してＶＴＲ２１から供給される映像信号Ｓ３０を表示部１３４に表示させる。
【００３４】
また、ユーザがテレビジョン装置７１を用いてテレビジョン放送を受信する場合、ＣＰＵ１２３はまず受信制御部１４２として動作し、ユーザによる操作入力部１５４を用いた選局操作に応じて、受信部１３３を制御する。
【００３５】
受信部１３３は受信制御部１４２の制御に応じて、入力した放送波Ｓ５に対してチャンネルの選局及び復調を行うことにより映像信号Ｓ３０を生成し、これを表示部１３４に出力して表示する。このとき受信部１３３は、受信したチャンネル、受信開始時刻、受信終了時刻の各情報を、受信情報ＩｎｆＲとして出力する。続いてＣＰＵ１２３は視聴情報解析部１５１として動作し、受信部１３３から供給される受信情報ＩｎｆＲを解析してテレビジョン装置７１の視聴記録を示す視聴情報ＩｎｆＷｔを生成し、これを外部通信部１２９を介してＶＴＲ２１に送信する。
【００３６】
図１１は全体としてＶＴＲ２１を示し、ＣＰＵ２３、ＲＡＭ２４、ＲＯＭ２５、フラッシュＲＯＭ２６、モデム２７、受信部３５、ユーザの操作を入力する操作入力部５４、及びテレビジョン装置７１（図８）との間で情報の送受を行う外部通信部２９が、バスＢＵＳに接続された構成を有している。
【００３７】
ＣＰＵ２３は、ＲＯＭ２５に格納されている制御プログラムを読み出し、ＲＡＭ２４に展開して実行することにより様々なモードで動作する。
【００３８】
すなわち図１２に示すように、ＣＰＵ２３はまず受信制御部４２として動作し、ユーザの選局、録画及び再生操作に応じて、受信部３５及び記録再生部３６を制御する。
【００３９】
すなわち受信部３５は受信制御部４２の制御に応じて、入力した放送波Ｓ５に対してチャンネルの選局及び復調を行うことにより映像信号Ｓ３０を生成し、これをテレビジョン装置７１（図８）に出力して表示するとともに記録再生部３６に供給する。またユーザによる録画操作があった場合、受信制御部４２はこれに応じて録画再生部３６を制御し、映像信号Ｓ３０をビデオテープ（図示せず）に記録する。このとき受信部３５は、受信または録画したチャンネル、受信または録画の開始時刻、受信又は録画の終了時刻の各情報を、受信情報ＩｎｆＲとして出力する。
【００４０】
続いてＣＰＵ２３は視聴情報解析部５１として動作し、受信部３５から供給される受信情報ＩｎｆＲを解析してＶＴＲ２１の視聴及び録画記録を示す視聴情報ＩｎｆＷを生成し、これを視聴情報格納部２６Ｃ及び個人設定情報格納部２６Ｂに格納する。
【００４１】
ＶＴＲ２１は、テレビジョン装置７１（図８）から送信される視聴情報ＩｎｆＷｔを外部通信部２９で受信し、これを視聴情報格納部２６Ｃ及び個人設定情報格納部２６Ｂに格納する。
【００４２】
またＶＴＲ２１は、ユーザが操作入力部５４を操作することにより入力された個人設定情報ＩｎｆＰを、個人設定情報格納部２６Ｂに格納する。個人設定情報ＩｎｆＰは、広告情報及び宣伝情報の表示の可否、放送のコマーシャル区間における広告情報及び宣伝情報の表示の可否、推薦番組情報に基づく番組の表示の可否、推薦番組情報に基づく番組及び情報の自動録画の可否の各設定項目で構成される。ユーザは操作入力部５４を操作して、かかる設定項目を予め設定しておく。
【００４３】
またＶＴＲ２１は、情報提供装置１０（図８）から送信された提供情報ＩｎｆＤをモデム２７の提供情報受信部２７Ａで受信し、これを提供情報格納部２６Ａに格納する。
【００４４】
そしてＣＰＵ２３は受信制御部４２として動作し、提供情報格納部２６Ａから提供情報ＩｎｆＤを読み出すとともに個人設定情報格納部２６Ｂから個人設定情報ＩｎｆＰ、視聴情報ＩｎｆＷ及び視聴情報ＩｎｆＷｔを読み出し、個人設定情報ＩｎｆＰに基づいて提供情報ＩｎｆＤが示す番組及び情報の表示の可否、番組及び情報の録画の可否を判断し、これに応じて受信部３１を制御する。
【００４５】
かくしてＶＴＲ２１は、提供情報ＩｎｆＤに応じて自動的に番組及び情報を表示及び録画する。
【００４６】
以上の構成において、情報提供装置１０は、ＶＴＲ２１から送信された視聴情報ＩｎｆＷに基づいて当該ＶＴＲ２１のユーザの嗜好に応じた提供情報ＩｎｆＤを生成し、ＶＴＲ２１に送信する。
【００４７】
ＶＴＲ２１は、提供情報ＩｎｆＤに基づいて自動的に番組や情報を表示することにより、ユーザが操作することなく当該ユーザの趣味嗜好に対応した番組、広告及び宣伝等の情報を表示することができる。
【００４８】
以上の構成によれば、視聴情報ＩｎｆＷに基づいてＶＴＲ２１のユーザの嗜好に応じた提供情報ＩｎｆＤを生成し、これを用いてＶＴＲ２１を制御するようにしたことにより、ユーザの趣味嗜好に対応した番組、広告及び宣伝等の情報を自動的に表示することができる。
【００４９】
（３）第３の実施の形態
図１３において、３は全体として本発明の第３の実施の形態による放送システムを示し、ラジオ放送を行う放送装置５、当該ラジオ放送を受信して音声を再生する複数のラジオ受信機２２、及び各ラジオ受信機２２から送信される視聴情報ＩｎｆＷを解析して当該ユーザに対する推奨番組等の情報でなる提供情報ＩｎｆＤを生成し、電話回線６０を介して各ラジオ受信機２２に提供する情報提供装置１０で構成され、放送装置５がテレビジョン放送ではなくラジオ放送を行うこと、及びラジオ受信機２２以外は図１に示す放送システム１と同一である。
【００５０】
放送装置５は、予め定められた放送予定に基づくラジオ番組を放送波Ｓ５として送信する。このとき放送装置５は、ラジオ番組の番組表及び番組情報、スポンサー企業等による宣伝情報及び広告情報からなる一般情報ＩｎｆＢを、情報提供装置１０に供給する。
【００５１】
情報提供装置１０はラジオ受信機２２から供給される視聴情報ＩｎｆＷに基づいて、一般情報ＩｎｆＢから当該ラジオ受信機２２のユーザの趣味嗜好に対応する推薦番組表、推薦番組情報、宣伝及び広告情報を抽出し、これを提供情報ＩｎｆＤとして、モデム１５の提供情報送信部１５Ｂを介してラジオ受信機２２に送信する。かかる提供情報ＩｎｆＤの送信は、所定の送信タイミング及び一般情報ＩｎｆＢの更新があった場合に行われる。
【００５２】
図１４は全体としてラジオ受信機２２を示し、ＣＰＵ２３、ＲＡＭ２４、ＲＯＭ２５、フラッシュＲＯＭ２６、モデム２７、受信部３７、ラジオ受信機２２の動作状態及び外部から供給される各種情報を表示する表示部３９、及び操作入力部５４がバスＢＵＳに接続された構成を有している。
【００５３】
ＣＰＵ２３は、ＲＯＭ２５に格納されている制御プログラムを読み出し、ＲＡＭ２４に展開して実行することにより、様々なモードで動作する。
【００５４】
すなわち図１５に示すように、ＣＰＵ２３はまず受信制御部４２として動作し、ユーザの操作に応じて受信部３７を制御する。
【００５５】
受信部３７は受信制御部４２の制御に応じて、入力した放送波Ｓ５に対して選局及び復調を行うことにより音声信号Ｓ３１を生成し、これをスピーカ３８に出力して再生する。このとき受信部３７は、受信した放送局、受信開始時刻、受信終了時刻の各情報を、受信情報ＩｎｆＲとして出力する。
【００５６】
続いてＣＰＵ２３は視聴情報解析部５１として動作し、受信情報ＩｎｆＲを解析してラジオ受信機２２の視聴記録を示す視聴情報ＩｎｆＷを生成し、これをフラッシュＲＯＭ２６の視聴情報格納部２６Ｃ及び個人設定情報格納部２６Ｂに格納する。
【００５７】
またラジオ受信機２２は、ユーザにより設定された個人設定情報ＩｎｆＰを個人設定情報格納部２６Ｂに格納する。個人設定情報ＩｎｆＰは、広告情報及び宣伝情報の表示の可否、推薦番組情報に基づく番組の受信の可否の各設定項目で構成される。ユーザは操作入力部５４を操作して、かかる設定項目を予め設定しておく。
【００５８】
またラジオ受信機２２は、情報提供装置１０（図１１）から送信された提供情報ＩｎｆＤをモデム２７の提供情報受信部２７Ａで受信し、これをフラッシュＲＯＭ２６の提供情報格納部２６Ａに格納する。
【００５９】
そしてＣＰＵ２３は受信制御部４２として動作し、提供情報格納部２６Ａから提供情報ＩｎｆＤを読み出すとともに個人設定情報格納部２６Ｂから個人設定情報ＩｎｆＰ及び視聴情報ＩｎｆＷを読み出し、個人設定情報ＩｎｆＰに基づいて提供情報ＩｎｆＤが示す番組の受信及び情報の表示の可否を判断し、これに応じて受信部３１を制御する。
【００６０】
かくしてラジオ受信機２２は、提供情報ＩｎｆＤに応じて自動的に番組の受信及び情報の表示を行う。
【００６１】
以上の構成において、情報提供装置１０は、ラジオ受信機２２から送信された視聴情報ＩｎｆＷに基づいて当該ラジオ受信機２２のユーザの嗜好に応じた提供情報ＩｎｆＤを生成し、ラジオ受信機２２に送信する。
【００６２】
ラジオ受信機２２は、提供情報ＩｎｆＤに基づいて自動的に番組の受信や情報の表示を行うことにより、ユーザが操作することなく当該ユーザの趣味嗜好に対応した番組、広告及び宣伝等の情報を表示することができる。
【００６３】
以上の構成によれば、視聴情報ＩｎｆＷに基づいてラジオ受信機２２のユーザの嗜好に応じた提供情報ＩｎｆＤを生成し、これを用いてラジオ受信機２２を制御するようにしたことにより、ユーザの趣味嗜好に対応した番組の受信、広告及び宣伝等の情報の表示を自動的に行うことができる。
【００６４】
（４）他の実施の形態
なお、上述の第２の実施の形態においては、個人設定情報ＩｎｆＰとして、広告情報及び宣伝情報の表示の可否、放送のコマーシャル区間における広告情報及び宣伝情報の表示の可否、推薦番組情報に基づく番組の表示の可否、推薦番組情報に基づく番組及び情報の自動録画の可否を設定するようにしたが、本発明はこれに限らず、ＶＴＲ２１の機能に応じて他の様々な項目を設定するようにしても良い。
【００６５】
例えば、ビデオテープに貼付されたメモリチップを用いてビデオテープの識別や録画情報の記入を行うテープデータメモリ機能をＶＴＲ２１が備えている場合、当該テープデータメモリ機能に関する項目を設定する。
【００６６】
すなわちテープデータメモリ機能に基づいて、自動録画を許可する録画可能テープ番号、ビデオテープにおける既視聴部分に対する上書き録画の可否、メモリチップを持たないビデオテープに対する自動録画の可否を個人設定情報ＩｎｆＰに設定することにより、自動録画による意図しないビデオテープの上書き録画を防ぐことができ、より一層使い勝手を向上することができる。
【００６７】
【発明の効果】
上述のように本発明によれば、ユーザが視聴した番組の番組情報と、当該番組が既に提供した提供情報に含まれるユーザの趣味嗜好に対応する番組情報に基づいて視聴された番組であるか否かを示す推薦視聴情報とを含む視聴情報に基づいてユーザの趣味嗜好に対応する番組、宣伝情報及び広告情報を含む提供情報を生成し、当該提供情報とユーザに予め設定された個人設定情報の項目に基づいてユーザの趣味嗜好に対応する番組、宣伝情報及び広告情報を表示部に表示させるようにしたことにより、ユーザによる操作がなくとも当該ユーザの趣味嗜好に対応する番組、宣伝情報及び広告情報を提供することができる放送システムを実現し得る。
【図面の簡単な説明】
【図１】本発明の第１の実施の形態による放送システムの構成を示すブロック図である。
【図２】情報提供装置の回路構成を示すブロック図である。
【図３】視聴情報を示す表である。
【図４】情報提供装置の機能ブロックを示すブロック図である。
【図５】テレビジョン装置の回路構成を示すブロック図である。
【図６】テレビジョン装置の機能ブロックを示すブロック図である。
【図７】個人設定情報を示す表である。
【図８】本発明の第２の実施の形態による放送システムの構成を示すブロック図である。
【図９】テレビジョン装置の回路構成を示すブロック図である。
【図１０】テレビジョン装置の機能ブロックを示すブロック図である。
【図１１】ＶＴＲの回路構成を示すブロック図である。
【図１２】ＶＴＲの機能ブロックを示すブロック図である。
【図１３】本発明の第３の実施の形態による放送システムの構成を示すブロック図である。
【図１４】ラジオ受信機の回路構成を示すブロック図である。
【図１５】ラジオ受信機の機能ブロックを示すブロック図である。
【符号の説明】
１、２、３……放送システム、５……放送装置、１０……情報提供装置、１１……ＣＰＵ、１２……ＲＡＭ、１３……ＲＯＭ、１４……ハードディスク、１５……モデム、１９……外部通信装置、１３……ＲＯＭ、１４……ハードディスク、１５……モデム、１６……提供情報生成部、１７……統計情報解析部、２０……テレビジョン装置、２１……ビデオテープレコーダ、２２……ラジオ受信機、２３……ＣＰＵ、２４……ＲＡＭ、２５……ＲＯＭ、２６……フラッシュＲＯＭ、２７……モデム、３３……受信部、３４……表示部、５１……視聴情報解析部、６０……電話回線、７０……アンテナ、７１……テレビジョン装置。
【図１】
0004224744.tif 000002
【図２】
0004224744.tif 000003
【図３】
0004224744.tif 000004
【図４】
0004224744.tif 000005
【図５】
0004224744.tif 000006
【図６】
0004224744.tif 000007
【図７】
0004224744.tif 000008
【図８】
0004224744.tif 000009
【図９】
0004224744.tif 000010
【図１０】
0004224744.tif 000011
【図１１】
0004224744.tif 000012
【図１２】
0004224744.tif 000013
【図１３】
0004224744.tif 000014
【図１４】
0004224744.tif 000015
【図１５】
0004224744.tif 000016